(57)【特許請求の範囲】
【請求項１】
表示画面上に、１または複数のアイコンを表示する表示部と、
前記表示部の背面であって各アイコンと対応する位置にそれぞれ設けられかつ非接触カードが接近させられたときにその非接触カードとの通信が可能な１または複数の電波検出部を有する通信部と、
前記アイコンと、各アイコンに対応づけられた操作対象物とを関連づけて記憶し、各操作対象物に対して実行する処理を予め記憶した記憶部と、
非接触カードが接近させられたことにより通信が確立した電波検出部と対応する位置のアイコンを選択し、前記記憶部から選択されたアイコンに対応づけられた操作対象物を抽出し、抽出された操作対象物に対する予め定められた処理を実行する制御部とを備え、
前記操作対象物が、その操作対象物ごとに付与された認証情報とともに記憶部に記憶され、
前記通信部が、非接触カードが接近させられた前記電波検出部を介して非接触カードに記憶されていた利用者認証情報を取得した後、
前記制御部が、操作対象物に対する処理を実行する前に、各操作対象物に付与された認証情報と、非接触カードから取得した利用者認証情報とを比較し、
非接触カードから取得した利用者認証情報と一致する認証情報が付与された操作対象物を、前記記憶部から抽出し、その抽出された操作対象物に対応づけられたアイコンのみを前記表示部に表示することを特徴とする情報検索表示装置。
【請求項２】
前記操作対象物が情報機器であり、
前記記憶部に、前記情報機器のデバイス名と、前記情報機器ごとに付与された認証情報と、操作画面情報とからなるデバイス情報を、前記各アイコンに対応付けて記憶し、
前記制御部が、非接触カードから取得した利用者認証情報と一致する認証情報が付与された情報機器を、前記記憶部から抽出し、その抽出された情報機器に対応づけられたアイコンのみを前記表示部に表示させ、非接触カードが接近させられた位置に表示されたアイコンを選択し、その選択されたアイコンに対応づけられた情報機器の操作画面情報を用いて、操作画面を前記表示部に表示させることを特徴とする請求項１に記載の情報検索表示装置。
【請求項３】
前記操作対象物がアプリケーションプログラムであり、
前記記憶部に、前記アプリケーションプログラムのプログラム名と、アプリケーションプログラムの実体が格納されたフォルダと、アプリケーションプログラムごとに付与された認証情報とからなるプログラム情報を、前記アイコンに対応付けて記憶し、
前記制御部が、非接触カードから取得した利用者認証情報と一致する認証情報が付与されたアプリケーションプログラムのプログラム情報を、前記記憶部から抽出し、その抽出されたプログラム情報に対応づけられたアイコンのみを前記表示部に表示させ、非接触カードが接近させられた位置に表示されたアイコンを選択し、その選択されたアイコンに対応づけられたアプリケーションプログラムを起動させることを特徴とする請求項１に記載の情報検索表示装置。
【請求項４】
前記操作対象物がファイルであり、
前記制御部が、前記選択されたアイコンに対応づけられたファイルを前記記憶部から読み出し、そのファイルを表示部に表示させることを特徴とする請求項１に記載の情報検索表示装置。
【請求項５】
前記操作対象物がファイルであり、
前記制御部が、前記選択されたアイコンに対応づけられたファイルを非接触カードに転送することを特徴とする請求項１に記載の情報検索表示装置。
【請求項６】
前記操作対象物がファイルであり、
前記制御部が、非接触カードに記憶されたファイルを前記通信部を介して取得し、前記記憶部に記憶することを特徴とする請求項１に記載の情報検索表示装置。
【発明の詳細な説明】
【技術分野】
【０００１】
この発明は、情報検索表示装置に関し、特に、表示に対する特定の操作をすることにより、予め格納されている情報を読み出しその情報内容に対する処理を実行する情報検索表示装置に関する。
【背景技術】
【０００２】
文書や画像などの情報は、たとえばユーザが作成したデータごとに１つのファイルとしてハードディスク（ＨＤＤ）などの記録装置に保存されている。
また、サーバなどに大量のファイルがユーザ別にデータベース化されて保存されている場合、まず、ユーザを特定する情報を入力して、そのユーザに関するファイルのみを検索対象とすることが行われる。
【０００３】
また、ユーザを特定する情報（個人情報）をＩＤカードに予め格納しておき、カードリーダで、このＩＤカードの個人情報を読み取ることにより、ユーザを特定する情報を容易に入力するシステムもある。
【０００４】
たとえば、特許文献１には、患者の個人情報と、その患者の画像データと、時刻情報とからなる画像ファイルを記憶装置に記録しておき、カードリーダで患者のＩＤカードに予め記憶されているその患者の個人情報を読み取り、読み取った個人情報と合致する個人情報を有する画像ファイルを検索して、そのファイルの内容をディスプレイに表示する画像データの個人別管理システムが開示されている。
【特許文献１】特開平１１−１９０４６号公報
【発明の開示】
【発明が解決しようとする課題】
【０００５】
上記特許文献１などの従来技術では、ＩＤカードから入力された個人情報を手がかりとして、予め定められたフォーマットで保存されているファイルを検索して容易に表示させることができる。
しかし、保存されているファイルが、すべて予め定められた１つのフォーマットで保存されているとは限らず、種々のアプリケーションソフトで作成され、そのアプリケーション特有の形式で保存されている場合がある。
【０００６】
たとえば、文書ファイルにおいても、種々の文書作成用アプリケーションソフトが存在し、そのアプリケーションソフトでしかそのファイル内容を読み出して表示できない場合がある。画像ファイルも同様であり、たとえば特殊なアプリケーションソフトで圧縮したファイルは、そのアプリケーションソフトで解凍しないと内容を表示することができない場合がある。
【０００７】
特許文献１の技術を利用すると、ＩＤカードをカードリーダで読み取ることにより、そのＩＤカードの所有者の個人情報を含む画像ファイルを検索して読み出すことはできる。しかし、その画像ファイルが特殊なアプリケーションソフトで作成されたものであれば、読み出された後に、ユーザがその画像ファイルをそのアプリケーションソフトで開くための特定の操作をする必要がある。
【０００８】
また、読み出したファイルが機密性を要求されるものである場合、そのファイルを開くための操作をした後、さらに、パスワードや暗証番号などの認証コードを入力する操作が必要な場合もあった。
したがって、従来の技術を利用して容易な操作で所望のファイルを読み出すことはできても、そのファイルが特定のアプリケーションソフトでしか開くことができないような場合に、そのファイルを画面上で確認するために、ユーザはさらに特定の入力操作をする必要があり、ユーザの操作負担が大きく、操作性の悪い場合があった。
【０００９】
そこで、この発明は以上のような事情を考慮してなされたものであり、情報を検索してその情報に対して表示等の処理をさせるための利用者の操作負担を軽減させ、操作性を向上させることのできる情報検索表示装置を提供することを課題とする。
【課題を解決するための手段】
【００１０】
この発明は、表示画面上に、１または複数のアイコンを表示する表示部と、前記表示部の背面であって各アイコンと対応する位置にそれぞれ設けられかつ非接触カードが接近させられたときにその非接触カードとの通信が可能な１または複数の電波検出部を有する通信部と、前記アイコンと、各アイコンに対応づけられた操作対象物とを関連づけて記憶し、各操作対象物に対して実行する処理を予め記憶した記憶部と、非接触カードが接近させられたことにより通信が確立した電波検出部と対応する位置のアイコンを選択し、前記記憶部から選択されたアイコンに対応づけられた操作対象物を抽出し、抽出された操作対象物に対する予め定められた処理を実行する制御部とを備え、前記操作対象物が、その操作対象物ごとに付与された認証情報とともに記憶部に記憶され、前記通信部が、非接触カードが接近させられた前記電波検出部を介して非接触カードに記憶されていた利用者認証情報を取得した後、前記制御部が、操作対象物に対する処理を実行する前に、各操作対象物に付与された認証情報と、非接触カードから取得した利用者認証情報とを比較し、
非接触カードから取得した利用者認証情報と一致する認証情報が付与された操作対象物を、前記記憶部から抽出し、その抽出された操作対象物に対応づけられたアイコンのみを前記表示部に表示することを特徴とする情報検索表示装置を提供するものである。
【００１１】
これによれば、利用者が、非接触カードを、電波検出部との通信が確立する程度にまで、所望のアイコンに接近させる操作をするだけで、そのアイコンに予め対応づけられた操作対象物に対する処理を実行させることができ、その処理を実行させるための利用者の操作負担を軽減させ、操作性を向上させることができる。
【００１２】
また、この発明は、前記操作対象物が情報機器であり、前記記憶部に、前記情報機器のデバイス名と、前記情報機器ごとに付与された認証情報と、操作画面情報とからなるデバイス情報を、前記各アイコンに対応付けて記憶し、前記制御部が、非接触カードから取得した利用者認証情報と一致する認証情報が付与された情報機器を、前記記憶部から抽出し、その抽出された情報機器に対応づけられたアイコンのみを前記表示部に表示させ、非接触カードが接近させられた位置に表示されたアイコンを選択し、その選択されたアイコンに対応づけられた情報機器の操作画面情報を用いて、操作画面を前記表示部に表示させることを特徴とする情報検索表示装置を提供するものである。
さらに、この発明は、前記操作対象物がアプリケーションプログラムであり、前記記憶部に、前記アプリケーションプログラムのプログラム名と、アプリケーションプログラムの実体が格納されたフォルダと、アプリケーションプログラムごとに付与された認証情報とからなるプログラム情報を、前記アイコンに対応付けて記憶し、前記制御部が、非接触カードから取得した利用者認証情報と一致する認証情報が付与されたアプリケーションプログラムのプログラム情報を、前記記憶部から抽出し、その抽出されたプログラム情報に対応づけられたアイコンのみを前記表示部に表示させ、非接触カードが接近させられた位置に表示されたアイコンを選択し、その選択されたアイコンに対応づけられたアプリケーションプログラムを起動させることを特徴とする情報検索表示装置を提供するものである。
【００１３】
この発明において、前記操作対象物がファイルである場合、前記制御部は、前記記憶部に記憶されたファイルを読み出し、そのファイルを表示部に表示させることを特徴とする。
また、前記操作対象物がファイルである場合、前記制御部は、記憶部に記憶されたファイルを非接触カードに転送する処理をしてもよい。
さらに、前記操作対象物がファイルである場合、前記制御部は、非接触カードに記憶されたファイルを前記通信部を介して取得し、記憶部に記憶する処理をしてもよい。
これによれば、利用者は非接触カードをアイコンに接近させるだけで、アイコンに対応するファイルを表示させる処理などの所定の処理を容易に実行できる。
【００１４】
また、この発明は、前記記憶部と非接触カードに、非接触カードの所有者を特定する利用者認証情報を記憶し、前記通信部が、非接触カードが接近させられた電波検出部を介して非接触カードに記憶された利用者認証情報を取得し、前記制御部が、操作対象物に対する処理を実行する前に、利用者認証情報を用いた認証処理を実行することを特徴とする。
ここで、前記制御部が行う認証処理において、記憶部に記憶された利用者認証情報と、非接触カードに記憶された利用者認証情報とが一致することを確認し、両認証情報が一致した場合に、抽出された操作対象物に対する処理を実行してもよい。
これによれば、認証が成功した利用者のみが操作対象物に対する処理を実行でき、セキュリティを高めることができる。また、非接触カードをアイコンに接近させる操作をするだけで、セキュリティを確保する認証処理と操作対象物に対する処理をともに実行でき、利用者の操作をより容易にできる。
【００１５】
さらに、この発明は、前記操作対象物が、その操作対象物ごとに付与された認証情報とともに記憶部に記憶されている場合、前記通信部が、非接触カードが接近させられた電波検出部を介して非接触カードに記憶されていた利用者認証情報を取得し、前記制御部が、操作対象物に対する処理を実行する前に、その操作対象物に付与された認証情報と、非接触カードから取得した利用者認証情報とを用いた認証処理を実行することを特徴とする。
これによれば、操作対象物ごとに認証が可能となる。
【００１６】
ここで、前記通信部が非接触カードから利用者認証情報を取得した後、非接触カードから取得した利用者認証情報と一致する認証情報が付与された操作対象物を、前記記憶部から抽出し、その抽出された操作対象物に対応づけられたアイコンのみを表示部に表示するようにしてもよい。
【００１７】
これによれば認証が成功した操作対象物のみについて対応するアイコンを表示させるので、利用者が利用できない操作対象物に対応するアイコンは表示されることはなく、利用者の操作負担を軽減させ、操作性をより向上できる。
【００１８】
また、前記通信部が、非接触カードから利用者認証情報を取得した後、前記制御部が、非接触カードから取得した利用者認証情報と一致する認証情報が付与された操作対象物を、前記記憶部から抽出し、その抽出された操作対象物に対応づけられたアイコンの表示形態を、抽出されなかった操作対象物に対応づけられたアイコンとは異ならせて、すべての操作対象物に対応づけられたアイコンを表示部に表示するようにしてもよい。
これによれば、利用者が利用可能な操作対象物と利用できない操作対象物にそれぞれ対応するアイコンを、異なる表示形態で表示させるので、利用者は、自己の利用可能な操作対象物のアイコンがどれであるか容易に識別でき、操作性をより向上できる。
ここで、アイコンの表示形態とは、たとえば、アイコンの色，アイコンの形状をいい、表示形態を異ならせるとは、アイコンの色を識別可能な色に変更することや、アイコンの形状を識別可能な別の形状に変更することをいう。
また、この発明において、前記操作対象物としては、ファイル，情報機器情報またはアプリケーションプログラムなどが挙げられる。以下の実施例では、これらの操作対象物について説明するが、これに限るものではない。
【発明の効果】
【００１９】
この発明によれば、１または複数のアイコンを表示画面に表示させ、各アイコンと対応する位置に、非接触カードと通信が可能な電波検出部を設け、選択されたアイコンに対応づけられた操作対象物に対する予め定められた処理を実行するようにしているので、利用者が、非接触カードを、電波検出部との通信が確立する程度にまで、所望のアイコンに接近させる操作をするだけで、操作対象物に対する処理を実行させることができ、利用者の操作負担を軽減させ、操作性を向上させることができる。
【発明を実施するための最良の形態】
【００２０】
以下、図に示す実施例に基づいて本発明を詳述する。なお、本発明はこれによって限定されるものではない。
以下の実施例では主として、操作対象物がファイルの場合について、説明する。
＜情報検索表示装置の構成＞
図１に、この発明の情報検索表示装置の一実施例の構成ブロック図を示す。
この発明の情報検索表示装置１０は、主として、表示部１，表示制御部２，記憶部３，通信部４，制御部５とを備える。
表示部１は、ＬＣＤなどの表示パネルであり、操作画面や、文書や画像等の情報内容を表示する部分である。
表示制御部２は、表示部１に表示させるデータを作成し、表示部１に与える部分である。
たとえば、表示部１の表示画面上の所定の位置に、１または複数のアイコンを表示させる。また、制御部５からの指示に基づき、アプリケーションソフトを実行した結果や操作画面を表示部１に表示させる。
記憶部３は、ＲＯＭ，ＲＡＭなどの半導体メモリ，ハードディスク，ＣＤやＤＶＤなどの記録媒体であり、種々の情報を記憶する部分である。
【００２１】
記憶部３には、主として、ファイル情報３１，表示情報３２，アンテナ情報３３，利用者情報３４，アプリケーションソフト３５などが記憶される。
通信部４は、ＩＣカード１００とデータの送受信を行う部分である。ＩＣカード１００が非接触カードの場合は、ＩＣカードと無線通信９０が可能な機能を有し、主として、１または複数のアンテナ部４１，通信制御部４２とからなる。
アンテナ部４１はＩＣカードと無線通信を行う部分であり、電波検出部に相当する。
【００２２】
制御部５は、表示部１や通信部４などを動作させて、この情報検索表示装置１０の機能を実現する主要な処理を行う部分であり、ＣＰＵ，ＲＯＭ，ＲＡＭ，Ｉ／Ｏコントローラ，タイマーなどのマイクロコンピュータにより実現される。
制御部５は、主として、ファイル検索部５１，認証部５２，処理実行部５３から構成される。
【００２３】
また、ＩＣカード１００は、このカードの利用者を特定する情報（利用者認証情報）やファイルを保存するものであり、これらの情報を記憶するメモリ部１０２と、情報検索表示装置１０の通信部４と通信をする通信部１０１とを備える。
また、後述するように、複数あるアンテナ部４１の１つに近接させて無線通信することにより入力操作をするために、ＩＣカードは、非接触タイプのカードであることが好ましい。
したがって、通信部１０１は無線通信９０の機能を有することが好ましい。
【００２４】
ファイル検索部５１は、記憶部３にファイル情報３１として格納されている多数のファイルの中から、要求されたファイルを読み出し、読み出したファイルを処理実行部５３へ引き渡す部分である。
認証部５２は、記憶部３に予め格納されていた利用者情報３４と、無線通信９０により、ＩＣカード１００から入手した利用者認証情報とを比較する部分である。この比較の結果、認証が成功した場合は、ファイル検索やアプリケーションソフトによるファイル処理を行う。
【００２５】
処理実行部５３は、ファイル検索部５１によって読み出されたファイルに対して、適切なアプリケーションソフト３５を選択して、そのアプリケーションソフトを起動させて、読み出されたファイルを開く処理など、予め定められた処理を行う部分である。
処理実行部によって実行される処理としては、たとえば、操作対象物がファイルの場合、読み出したファイルを開くこと、開いたファイルを表示部に表示すること、開いたファイルをＩＣカードへ転送しＩＣカードに保存させること、ＩＣカードに記憶されていたファイルを取得し、記憶部３に記憶することなどがある。
読み出されたファイルに対して、どのアプリケーションソフトを使用するかは、予め記憶されているファイル情報３１によって決定される。
【００２６】
通信部４のアンテナ部４１は、ＩＣカード１００との間で、無線によるデータ通信を行う部分であり、後述するように、複数個設けることが好ましい。
通信制御部４２は、アンテナ部４１の動作を制御する部分であり、制御部５からの指示に基づいて、アンテナ部を介してＩＣカード１００へデータを転送したり、ＩＣカード１００からの情報を取得したりする部分である。
【００２７】
図２に、この発明の記憶部３に記憶される情報の一実施例の説明図を示す。
ファイル情報３１は、特定のアプリケーションで作成され、または利用されるファイルを特定する情報であり、たとえば、１つのファイル情報は、ファイル名，フォルダ名，アプリケーション名，認証情報ＦＬから構成される。
また、これらのファイル情報から特定されるファイルそのものも、記憶部３に格納されている。
【００２８】
たとえば、図２において、１つのファイルは、そのファイル名が「ＦＬ００１」で、そのファイルが格納されているフォルダ名が「ＦＤＡ０１」であり、そのファイルを開くことのできるアプリケーションが「ＡＰＲ−ＡＡＡ」という名のプログラムであり、そのファイルを開くのに必要な認証情報ＦＬが「ＣＯＤＥ０１」であることを示している。
もし、「ＦＬ００１」というファイルがファイル検索部５１によって読み出され、処理実行部５３によって処理される場合、そのファイルに付与された「アプリケーション名」を参照し、「ＡＰＲ−ＡＡＡ」というアプリケーションソフトを起動して、「ＦＬ００１」というファイルを開く動作をし、そのファイル内容を表示部１に表示させる。
【００２９】
また、認証情報ＦＬは、認証部５２による認証処理で用いられる情報であり、たとえば、ＩＣカード１００から取得したカード認識情報ＩＣと比較する情報である。
このファイルごとに付与された認証情報ＦＬと、ＩＣカード１００から取得したカード認証情報ＩＣとが一致した場合、認証が成功したと判断する。
また、後述するように、カード認証情報ＩＣと一致する認証情報ＦＬを持つファイルを抽出し、そのファイルに対応づけられたアイコンのみを、表示部に表示するようにする。
【００３０】
ただし、認証情報ＦＬは必須ではなく、設定により、その使用の可否を選択できるようにしてもよい。
このようなファイル情報３１は、たとえばユーザがファイルを作成したときに、制御部によって作成される。また、アプリケーション名は、ファイルを作成したときに実行したアプリケーションプログラムによって生成され、ファイルごとに格納される。
【００３１】
表示情報３２は、表示部１に表示する表示アイコンと、その表示アイコンに関連づけたファイル名との対応リストである。
表示部１に表示するアイコンがｎ個（ＩＣＯＮ０１〜０ｎ）あるとすると、それぞれのアイコンに対して、１つのファイル（ＦＬ００１〜００ｎ）が対応する。
図２において、たとえば表示アイコンＩＣＯＮ０２に対して、ファイル名「ＦＬ００２」のファイルが対応する。
【００３２】
後述するように、ＩＣカード１００を、表示部１に表示された表示アイコンＩＣＯＮ０２に近接させたとき、ファイル名「ＦＬ００２」のファイルが検索対象として選択される。表示アイコンとファイル名との対応リストは、たとえば、ファイル作成時に、制御部によって生成される。
なお、表示アイコンはファイルごとに対応しているので、表示アイコンは、ファイル情報３１の中の１つの情報として記憶してもよい。
アンテナ情報３３は、アンテナ部４１の位置を示す情報であり、表示部１に表示される表示アイコンと１対１に対応づけられた情報である。
【００３３】
図３に、この発明の表示部１とアンテナ部４１との位置関係を説明する概略図を示す。
表示部１は、ＬＣＤ，ＰＤＰ，ＥＬ，ブラウン管などのディスプレイであり、ここに種々の情報が表示されるが、図３では、表示画面上に１２個の表示アイコン（ＩＣＯＮ０１〜ＩＣＯＮ１２）を表示した状態を示している。ただし、表示アイコンは、１２個に限るものではない。
アンテナ部４１は、表示部１の表示画面の背面に並行に配置されるパネル基板上に形成され、表示部１の各表示アイコンと重なる位置に、表示アイコンと同数のアンテナ部分（アンテナ番号：ＡＮＴ０１〜ＡＮＴ１２）が設けられる。図３では説明のために、表示部１の表示画面とアンテナ部４１のパネル基板とをずらして示しているが、各表示アイコンと対応する位置に、各アンテナ部分が設けられる。
【００３４】
たとえば、表示アイコンＩＣＯＮ０１の真裏に、アンテナ部分ＡＮＴ０１が設けられる。図３では、アンテナ番号がＡＮＴ０１からＡＮＴ１２までの１２個のアンテナ部分がある。各アンテナ部分は、ＩＣカード１００と無線通信を行う部分であり、ＩＣカードから送出された電波を検出する部分（電波検出部）である。ＩＣカード１００が所定の距離（Ｌ）よりも近くに近づけられたアンテナ部分のみが、ＩＣカードと無線通信を行うことができる。
【００３５】
たとえば、図３に示すように、ＩＣカード１００が、表示部１の表示アイコンＩＣＯＮ１１に接近させられ、その表示アイコンの真裏にあるアンテナ部分ＡＮＴ１１とＩＣカードの距離が上記距離Ｌ（たとえば、５ｍｍ）以下となったときに、アンテナ部分ＡＮＴ１１を介して、ＩＣカード１００との無線通信が成立する。このとき他のアンテナ部分（ＡＮＴ０１〜１０，１２）は、ＩＣカード１００と通信しない。
【００３６】
図示していないが、各アンテナ部分は、通信制御部４２に接続され、通信制御部４２は、ＩＣカード１００と通信が成立したアンテナ部分がどれであるかを認識する。
また、各アンテナ部分はマトリクス状に配置され、セレクタ素子を介して通信制御部４２に接続して、通信制御部４２のポーリング的な処理により、順に各アンテナ部分とＩＣカードとの通信が成立するか否かをチェックしてもよい。
【００３７】
図３のように、ＩＣカード１００を表示アイコンＩＣＯＮ１１の近くに接近させた場合、アンテナ番号ＡＮＴ１１のアンテナ部分とＩＣカード１００との無線通信が確立するので、このアンテナ部分（ＡＮＴ１１）を介して、たとえばＩＣカード１００に記憶されていたカード認証情報ＩＣ（ＣＯＤＥ０１）が取得される。
また、ＩＣカード１００と通信が成立したアンテナ部分がＡＮＴ１１である場合、アンテナ情報３３を参照することにより、制御部５は、ＡＮＴ１１に対応する表示アイコンＩＣＯＮ１１に、利用者がＩＣカード１００を接近させたことを認識する。
すなわち、通信が確立したアンテナ部分ＡＮＴ１１と対応する位置の表示アイコンＩＣＯＮ１１が選択される。
【００３８】
利用者がＩＣカード１００をＩＣＯＮ１１に接近させたことは、ＩＣＯＮ１１に対応づけられたファイル名（ＦＬ０１１）のファイルを開くことを意図した操作をしたことを意味するものとする。この場合、後述するような処理により、利用者が意図したファイル（ＦＬ０１１）を、そのファイルに対応づけられたアプリケーション名のアプリケーションソフトで開く処理をし、そのファイルの内容を表示部１の特定の画面上に表示させる。
このように、複数のアイコンが表示されている表示状態において、利用者がＩＣカード１００を、表示アイコンのどれか１つに接近させる操作をするだけで、容易に利用者の意図したファイルを選択し、画面上に表示させることができる。
【００３９】
図２において、利用者情報３４は、この発明の装置１０を利用することのできる利用者のリストであり、記憶部３に予め格納された情報である。たとえば、１人の利用者（０１）の情報は、氏名（ＮＭ０１），ＩＤコード（ＮＩＤ００１），認証情報（ＣＯＤＥ０１）から構成される。ここで利用者情報３４の認証情報（ＣＯＤＥ０１）は、ファイル情報３１の認証情報ＦＬに対応する情報を用いてもよい。
【００４０】
また、利用者情報３４は、ＩＣカードの所有者を特定する利用者認証情報であり、ＩＣカードのメモリ部１０２にも、利用者情報３４と同じ情報が予め記憶される。ＩＣカードのメモリ部１０２に記憶される利用者情報は、氏名，ＩＤコード，カード認証情報ＩＣから構成され、ＩＣカード発行時に格納される。また、ＩＣカードのカード認証情報ＩＣは、ファイルごとに付与される認証情報ＦＬと比較される情報とする。利用者情報３４は、図２に示した３つの情報に限るものではなく、たとえば、氏名はなくてもよく、住所や性別などの情報を含めてもよい。
【００４１】
また、アプリケーションソフト３５そのものは、記憶部３に記憶される。記憶部３には、この発明の装置１０で利用可能な１または複数のアプリケーションソフトとともに、そのソフトで必要な設定データも記憶される。
ここで、各アプリケーションソフトそのものと、ファイル情報３１のアプリケーション名とは、対応づけられて記憶されている。
以上のように図２に示した記憶部３に記憶されるファイル情報３１などは、後で追加，変更，削除等が可能なように、不揮発性の書きかえ可能なメモリに記憶されることが好ましく、たとえば、ハードディスク（ＨＤＤ）に記憶してもよい。
【００４２】
＜検索表示処理＞
次に、この発明の検索表示処理の一実施例について説明する。
図４に、表示部１に、複数の表示アイコンを表示した状態の一実施例の説明図を示す。
図４では、１２個の表示アイコンを表示しており、それぞれの表示アイコンに、プレゼンテーション用ファイルの名称又は番号が対応して表示されているものとする。
たとえば、左上の表示アイコンには、「プレゼン０１」と表示され、この表示アイコンには、プレゼンテーション用ファイルのうち番号０１のファイルが対応づけられていることを示す。ここでは、プレゼンテーション用ファイルが、操作対象物であり、プレゼンテーション用ファイルを開いて、表示部１に表示させる処理が、操作対象物に対する予め定められた処理に相当する。
【００４３】
このような対応づけは、予め設定された表示情報３２によるものであり、この表示情報３２に基づいて、図４のような表示がされる。
また、図４には図示していないが、図３で説明したように、表示部１の背面で各表示アイコンの位置に対応づけられた領域に、それぞれアンテナ部分が配置されている。
たとえば、「プレゼン０２」の表示アイコンの位置には、アンテナ番号「ＡＮＴ０２」のアンテナ部分が配置されている。
【００４４】
したがって、利用者がＩＣカード１００を所望の表示アイコンに接近させると、ＩＣカードと、接近した表示アイコンと対応するアンテナ部分との間で通信が確立し、データ通信が行われる。
たとえば、図４に示すように、「プレゼン１１」と表示された表示アイコン（ＩＣＯＮ１１）部分に、ＩＣカード１００を接近させると、ＩＣカード１００と「プレゼン１１」の位置に対応して配置されたアンテナ部分（アンテナ番号ＡＮＴ１１）との間で通信が確立する。そして、図５に示すように、ＩＣカードとＡＮＴ１１のアンテナ部分とによりデータ通信が行われる。このとき、通信制御部４２がＡＮＴ１１を介してデータ通信が行われたことを認識すると、制御部５は、後述するような認証処理，ファイル検索処理，アプリ実行処理を実行する。このような処理により、アンテナ（ＡＮＴ１１）および表示アイコン（プレゼン１１のＩＣＯＮ１１）と対応づけられたファイル名（ＦＬ０１１）のファイル（プレゼンテーション用ファイル「プレゼン１１」）が、表示部１に表示される（図６参照）。
【００４５】
以上が、この発明の一実施例の概略処理内容であるが、図６の「プレゼン１１」の内容が表示されるまでに、利用者は、図４に示すように、所望の表示アイコンにＩＣカードを近づける操作をするだけでよく、操作が非常に容易である。すなわち、所望のプレゼンテーション用ファイルを選択し、かつ対応アプリケーションを用いて開き、さらにその内容を表示部に表示させるまでの間の利用者の操作負担を大きく軽減させることができ、操作性を向上できる。
【００４６】
＜検索表示処理の実施例１のフローチャート＞
図７に、この発明の検索表示処理の実施例１のフローチャートを示す。
ステップＳ１において、制御部５は、表示部１に表示アイコンの初期表示をする。
ここでは、表示情報３２を参照し、表示アイコンに対応するファイル名を取得し、表示アイコンと共に、対応するファイルのファイル名を表示する。
ただし、ファイル名の代わりに、図４に示したように「プレゼン０１」というように、対応するファイルを識別することのできる名称や番号を表示してもよい。
また、表示部１に表示する表示アイコンの表示数や表示位置は限定されるものではなく、利用者が予め初期設定できるようにしてもよい。
【００４７】
ステップＳ２において、どのアンテナ部分によりＩＣカードとの通信が行われるかを認識するために、制御部５は、アンテナ番号の変数ＡＴＮＯを初期値（＝１）にセットする。また、アンテナの個数（Ｍａｘ）は予めわかっているものとする。
ステップＳ３において、通信制御部４２は、現在セットされているアンテナ番号（ＡＴＮＯ）のアンテナ部分を介して、ＩＣカードとの通信が行われるか否かチェックする。この通信チェックは、たとえば、アンテナ番号ＡＴＮＯのアンテナ部分をアクティブにし、このアンテナ部分から所定のリンク確立用の電波を出力した後、一定期間内に、ＩＣカード１００からの返信電波が同じアンテナ部分から受信されるか否かをチェックすることにより行えばよい。
【００４８】
通信制御部４２によってＩＣカード１００からの返信電波の受信が確認された場合、制御部５は、そのアンテナ部分を介して、通信のリンクが確立し、ＩＣカードが検出されたものと判断する。
ステップＳ４において、ＩＣカード１００が検出された場合は、ステップＳ７へ進み、検出されなかった場合はステップＳ５へ進む。
ここで、ＩＣカードが検出されなかった場合は、現在ＡＴＮＯ番号のアンテナ部分の近くにはＩＣカード１００がなかったことを意味する。
【００４９】
また、リンクが確立しＩＣカード１００が検出された場合は、現在のＡＴＮＯ番号のアンテナ部分の近くに、ＩＣカードが存在することを意味し、利用者が、そのアンテナ部分に対応する表示アイコンに、ＩＣカードを意図的に接近させたことを意味する。このとき、後のステップ１１の処理のために、どのアンテナ番号ＡＴＮＯによってリンクが確立されたかを一時記憶しておく。あるいはアンテナ番号と共に、対応する表示アイコンの番号を記憶してもよい。
【００５０】
ステップＳ５において、現在チェックしたアンテナ番号ＡＴＮＯのアンテナ部分ではＩＣカードが検出されなかったので、次のアンテナ部分を介した通信チェックをするために、制御部５は、次のアンテナ番号をセットする。すなわちアンテナ番号ＡＴＮＯに１を加算する。
ステップＳ６において、現在のアンテナ番号が、アンテナ数（Ｍａｘ）を越えていないか、チェックする。
アンテナ数（Ｍａｘ）を越えていない場合は、新たにセットされた現在のアンテナ番号ＡＴＮＯのアンテナ部分による通信チェックをするため、ステップＳ３へ戻る。アンテナ数（Ｍａｘ）を越えている場合は、最初のアンテナ番号から再度通信チェックをするために、ステップＳ２へ戻る。
【００５１】
ステップＳ７において、ＩＣカード１００とのリンクが確立しているので、通信部４は、所定のプロトコルで、現在のアンテナ番号ＡＴＮＯのアンテナを介して、ＩＣカードとデータ通信を行う。
このデータ通信では、少なくともＩＣカード１００から、ＩＣカードに予め記憶されていた識別情報（ＩＤコード）を受信する。また、この他に、氏名，カード認証情報ＩＣなどの情報の送受信を行ってもよい。
【００５２】
ステップＳ８において、認証処理を行う。
ここでは、認証部５２が、受信したＩＣカードの識別情報（ＩＤコード）と、記憶部３に予め記憶されている利用者情報３４とを比較する。
たとえば、図２に示したような利用者情報３４の中において、この識別情報（ＩＤコード）と一致する利用者のＩＤコード（ＮＩＤ００１）があれば、認証が成功したと判断する。
【００５３】
ステップＳ９において、認証が成功した場合はステップＳ１１へ進み、失敗した場合はステップＳ１０へ進む。
ステップＳ１０では、認証が失敗したことを利用者に知らせるために、表示部１に認証失敗を示すエラー表示を行い、ステップＳ２へ戻る。
【００５４】
ステップＳ１１において、ファイル検索処理を行う。
ここでは、ファイル検索部５１が、ＩＣカードを検出したアンテナ部分のアンテナ番号ＡＴＮＯを用いて、利用者が意図したファイルのファイル名を取得する。
このファイル名取得のために、アンテナ情報３３，表示情報３２を利用する。
すなわち、まず、アンテナ情報３３を用いて、アンテナ番号ＡＴＮＯから対応する表示アイコン番号を抽出し、さらに表示情報３２を用いて、抽出した表示アイコン番号から対応するファイル名を取得する。
【００５５】
ステップＳ１２において、アプリ実行処理を行う。
ここでは、まず、処理実行部５３が、ファイル情報３１を用いて、取得したファイル名に一致するファイルを抽出し、そのファイルの中に含まれるアプリケーション名を取得する。
そして、そのアプリケーション名に対応するアプリケーションソフト３５を起動させ、そのアプリケーションソフトを用いて、ステップＳ１１で取得したファイル名に対応するファイルそのものを読み出す。
【００５６】
ステップＳ１３において、制御部５は、読み出したファイルを開き、そのファイルの内容を表示部１に表示させる。たとえば図６のような表示が行われる。
その後、ステップＳ２へ戻り、ＩＣカードの検出動作を繰り返す。
ただし、表示部１にファイル内容を表示したため、表示アイコンの表示を消去している場合は、直ちにステップＳ２へ戻るのではなく、図４のようなアイコン表示の画面へ戻るために、利用者による指示入力を待ってもよい。
【００５７】
以上の処理フローにおいて、ステップＳ４からステップＳ７へ進む場合に、利用者がＩＣカードを表示アイコンに接近させる操作を必要とするが、他の処理では、利用者の特別な操作や入力を必要としない。したがって、利用者の操作負担を軽減でき、操作性を向上できる。
【００５８】
＜検索表示処理の実施例２のフローチャート＞
図８に、この発明の検索表示処理の実施例２のフローチャートを示す。
ここでは、ファイルごとに付与された認証情報ＦＬを利用して、ファイルを開く権限を有する者だけが聞くことのできるファイルに対応した表示アイコンのみを表示する実施例を示す。また、秘密情報が含まれるような重要なファイルを表示させる場合に、ファイルごとにセキュリティを設定し、ファイルを選択するための利用者の操作性を向上させる。
【００５９】
図８において、ステップＳ１からＳ９までの処理と、ステップＳ１１からＳ１３までの処理は、図７に示した実施例１と同じである。
図７のステップＳ９においては、認証が失敗したとき、ステップＳ１０のエラー表示処理をしていたが、この実施例２の図８では、ステップＳ２１とＳ２２の処理を行う点のみが、実施例１と異なる。
以下、異なる処理のみについて説明する。
【００６０】
ステップＳ９において、ＩＣカードの識別情報（ＩＤコード）と利用者情報が一致しなかった場合は、実施例１では、利用者は、表示アイコンに対応づけられたすべてのファイルに対する処理（表示処理など）をさせることができなかった。しかし、多数のファイルの中には、その利用者自らが作成したものや、作成はしていないが閲覧権限を有するものもある。
そこで、ステップＳ８の認証処理では、利用者は選択したファイルを検索表示できる者ではなかったが、ステップＳ１の初期表示で表示された表示アイコンに対応するファイルの中に、その利用者が作成したものや、閲覧権限を有するものがある場合には、そのような閲覧権限等を有するファイルのみについて、表示できるようにする。
ここでは、図２のファイル情報３１の中のファイルごとに付与された認証情報ＦＬを利用する。この認証情報ＦＬは、ＩＣカードから取得したカード認証情報ＩＣに対応するものであり、両者が一致する場合に、その認証情報ＦＬを持つファイルを表示することが許可され得る。
【００６１】
そこで、図８において、ステップＳ９で、認証に失敗した場合、ステップＳ２１へ進む。
ステップＳ２１において、ＩＣカードから取得したカード認証情報ＩＣと、現在表示されている表示アイコンに対応するファイルの認証情報ＦＬとの比較をする。
たとえば、図４の場合、表示されている１２個の表示アイコンに対応するファイルのファイル情報３１を調べ、両認証情報（ＦＬとＩＣ）が一致するファイルを抽出する。
【００６２】
次に、ステップＳ２２において、ＩＣカードのカード認証情報ＩＣに一致した認証情報ＦＬを持つファイルと対応づけられた表示アイコンを、表示情報３２から抽出する。
そして、抽出された表示アイコンのみを、表示部１に表示する。このとき、認証情報が一致しなかったファイルに対応する表示アイコンは消去する。
たとえば、初期表示で表示されていた１２個の表示アイコンのうち、８つの表示アイコンが抽出された場合、その８つの表示アイコンが表示され、抽出されなかった表示アイコンは消去される。
【００６３】
このとき、利用者は、表示されたアイコンが８つになったので、その利用者が選択できる表示アイコンに対応したファイルは８つしかないことがわかる。また、１２個全部表示している場合には、どの表示アイコンに対応するファイルがその利用者が利用することができるかは、いちいち調べるか、又はＩＣカードを表示アイコンに近づけないとわからなかった。しかし、消去した表示アイコンは、その利用者が利用することのできないファイルに対応するものであるので、利用できないファイルに対応するアイコンを消去し、利用可能なファイルに対応するアイコンのみを表示することにより、利用者が利用できるファイルの選択が容易となり、操作性をより向上させることができる。
【００６４】
また、図８のフローチャートでは、ステップＳ２２で、認証情報が一致したファイルに対応する表示アイコンのみを表示させるようにし、一致しなかったファイルに対応する表示アイコンは表示させないようにしたが、一致したファイルと一致しなかったファイルの表示アイコンを、互いに異なる表示形態で表示するようにしてもよい。すなわち、ステップＳ２２を、次のようなステップＳ２２ａに置換してもよい。
【００６５】
ステップＳ２２ａ：ＩＣカードの認証情報ＩＣに一致したファイルに対応する表示アイコンの表示形態を変更し、一致しなかったファイルに対応する表示アイコンと異なるものとする。
【００６６】
たとえば、ＩＣカードの認証情報ＩＣに一致しなかったファイルに対応する表示アイコンは黒色で表示し、一致したファイルに対応する表示アイコンは赤色で表示する。
あるいは、ＩＣカードの認証情報ＩＣに一致しなかったファイルに対応する表示アイコンを長方形状で表示するのに対し、一致したファイルに対応する表示アイコンは円形状で表示するようにしてもよい。
これによれば、利用者は、自己が利用できるファイルとできないファイルが視覚的に明確にわかるので、以後の利用者のファイル選択操作が容易となる。
【００６７】
＜実施例３＞
上記実施例では、表示アイコンと対応づけられたファイルそのものは、記憶部３に格納されているものとしたが、ＩＣカード１００のメモリ部１０２の記憶容量が、ファイルを記憶できる程度の大きさである場合には、そのＩＣカードの所有者が作成したファイルあるいは利用権限を有するファイルをＩＣカード１００に予め格納しておいてもよい。
そして、プレゼンテーションをする前など必要なときに、通信部４を介して、ＩＣカード１００の中のファイルを取得し、装置の記憶部３へ記憶するようにしてもよい。このようにすれば、この装置で利用するファイルをすべてその記憶部３に保存しておく必要はなく、装置を利用する利用者が、その利用開始前に、ＩＣカード１００から必要なファイルを取得して記憶部３へ記憶し、そのファイルの利用が終了すれば、記憶部３から消去すればよい。したがって、記憶部３の記憶容量も節約できる。
【００６８】
また、これとは逆に、ＩＣカードの所有者が利用可能なファイルが装置の記憶部３の中にのみ存在する場合には、そのファイルの認証情報ＦＬとＩＣカードのカード認証情報ＩＣとの一致を確認した上で、記憶部３に記憶されたファイルを、ＩＣカードのメモリ部１０２へ転送してもよい。
【００６９】
＜実施例４＞
上記実施例では、表示アイコンに、ファイルを対応付けて、ＩＣカードで指示されたファイルを表示する場合を説明した。ここでは、ファイルの代わりに、表示アイコンにデバイスを対応付ける実施例について説明する。デバイスとは、各種の情報機器を意味し、たとえば、この発明の情報検索表示装置にネットワーク接続されたクライアントパソコン（ＰＣ），ハードディスク（ＮＡＳ），プリンタ，その他の周辺機器を意味する。この実施例では、デバイス（情報機器）情報が操作対象物である。
【００７０】
図３に示すような表示アイコンを表示部１に表示させ、各表示アイコンにアンテナ部４１を対応させて配置させる点、ＩＣカードを表示アイコンに接近させる点は、上記した実施例１と同様である。
ただし、この実施例４では、各表示アイコンに異なるデバイスが対応付けられている点が異なる。ＩＣカード１００を表示アイコンに接近させたとき、ＩＣカードが接近させられた表示アイコンと対応するデバイスを利用するために、そのデバイスに関係する表示、たとえばデバイスの操作画面を表示部１に表示させる。
【００７１】
図９に、実施例４で利用する表示情報およびデバイス情報の一実施例の説明図を示す。ここでは、表示情報３２としては、ファイル名の代わりに、デバイス名（ＤＥ００１など）が表示アイコンと対応づけて記憶される。
また、ファイル情報３１の代わりに、デバイス情報が用いられる。デバイス情報は、たとえば、１つのデバイスごとに、デバイス名と、認証情報ＤＶとから構成される。
【００７２】
また、各デバイス（ＤＥ００１〜００ｎ）ごとに、デバイスの操作画面情報（画面０１〜０ｎ）を記憶しておく。たとえばデバイスがＰＣである場合は、そのＰＣのハードディスクに保存されているファイルのリストを、操作画面情報として記憶しておく。
また、デバイスがプリンタの場合は、そのプリンタの印刷設定（サイズ，枚数）や印刷出力指示が可能となる設定画面を、操作画面情報として記憶しておく。
【００７３】
この実施例４における検索処理フローと、利用者の行うＩＣカードの操作は図７に示したものとほぼ同じであるが、初期画面には、表示アイコンとともにデバイス名が表示され、ステップＳ１１，Ｓ１２，Ｓ１３の処理内容が異なる。
実施例４では、ステップＳ１１において、アンテナ情報３３と、図９の表示情報３２とが利用されて、ＩＣカード１００が接近されたアンテナ番号および表示アイコンに対応するデバイス名が取得される。
【００７４】
次に、ステップＳ１２において、デバイス操作画面情報を用いて、取得されたデバイス名に対応する操作画面を読み出す。そして、ステップＳ１３において、その読み出した操作画面を、表示部１に表示する。
このような表示をすることにより、利用者がＩＣカードを用いて選択したデバイスについて操作ができる状態となる。この後、表示された操作画面を見て、利用者が所望の操作を実行させるための入力をすることにより、デバイスに対して、利用者が意図した動作をさせることができる。たとえば、デバイスがプリンタの場合、利用者が操作画面を見て、印刷枚数やサイズを指定した後、印刷開始を意味する指示入力をすると、その指示入力がプリンタに与えられ、指示どおりの印刷が実行される。
【００７５】
この実施例４でも、デバイスを利用するための操作画面を表示させるまでに、利用者は、ＩＣカード１００を表示アイコンに接近させる操作をするだけでよく、利用者の操作は容易であり、デバイスを利用することを可能とするための複雑な操作は必要ない。
【００７６】
＜実施例５＞
ここでは、アプリケーションプログラムを起動させるための操作をする実施例について説明する。この実施例５では、アプリケーションプログラムが、操作対象物である。
図１０に、この実施例５における表示部の表示内容の具体例の説明図を示す。
図１０において、表示部１に、１２個の表示アイコンと、それぞれの表示アイコンに対応づけられたアプリケーションプログラムの機能名称が表示されている状態を示している。たとえば、表示アイコン０１には、「文書編集」機能を実行するプログラムの機能名称が表示されている。表示内容は、プログラムの機能名称ではなく、プログラム名そのものでもよい。
このような表示がされている状態で、利用者がＩＣカードを表示アイコンに近づけると、近づけた表示アイコンに対応づけられたアプリケーションプログラムが選択され、そのアプリケーションプログラムが起動させられる。
【００７７】
図１１に、実施例５で利用する表示情報等の一実施例の説明図を示す。
図１１において、表示情報３２は、表示アイコンとアプリケーションプログラムのプログラム名との対応関係を示している。
プログラム情報は、プログラムごとの情報であり、１つのプログラムの情報は、プログラムを識別するプログラム名（ＰＲＧ０１），アプリケーションプログラムが格納されているフォルダ名（ＰＦＤ０１），認証情報ＰＧとから構成される。認証情報ＰＧは、プログラムごとに記憶され、そのプログラムを起動する前にチェックされる情報である。たとえば、この認証情報ＰＧと、ＩＣカードに記憶されている所有者特定情報のうちカード認証情報ＩＣとを比較し、一致すれば、認証が成功したと判断し、その後、認証が成功したプログラムを起動する。
【００７８】
この実施例５では、次のような処理により、アプリケーションプログラムを起動させることができる。
まず、図１０のような表示アイコンの画面を表示させた状態で、利用者が実行させようとする所望のアプリケーションプログラムに対応する表示アイコンに、ＩＣカードを接近させる。接近させられた表示アイコンに対応するアンテナ番号のアンテナ部分がアクティブとなり、ＩＣカード１００との間で通信が確立する。このとき、ＩＣカードのカード認証情報ＩＣなどが、ＩＣカードから取得される。そして記憶部３のアンテナ情報３３を調べることにより、通信が確立したアンテナ番号に対応する表示アイコンが選択され、さらに、選択された表示アイコンから、対応するプログラム名が取得される。
【００７９】
また、図１１のプログラム情報を用いて、取得されたプログラム名に対応するプログラムの情報を検索し、そのプログラム名に相当するアプリケーションプログラムの実体が記憶されている格納フォルダ名を読み出し、さらに認証情報ＰＧを読み出す。そして読み出した認証情報ＰＧと、ＩＣカードから取得したカード認証情報ＩＣとを比較し、一致するかどうかチェックする。
【００８０】
両認証情報（ＰＧ，ＩＣ）が一致した場合に、認証が成功し、利用者にそのアプリケーションプログラムの利用を許可する。すなわち、利用者がＩＣカードを接近させることによって指示した表示アイコンに対応するアプリケーションプログラムを起動させる。
一方、認証情報が一致しなかった場合は、プログラムの起動はせずに、利用者に、そのアプリケーションプログラムを起動する権限がないことなどを示すエラー表示をする。
この実施例５でも、利用者がＩＣカードを表示アイコンに接近させる操作をするだけで、起動すべきアプリケーションプログラムの選択と、そのプログラムに対する利用者の認証をすることができる。したがって、アプリケーションプログラムの起動のために行う利用者の操作を容易なものとし、操作性を向上できる。
【図面の簡単な説明】
【００８１】
【図１】この発明の情報検索表示装置の一実施例の構成ブロック図である。
【図２】この発明の記憶部に記憶される情報の一実施例の説明図である。
【図３】この発明の表示部とアンテナ部との位置関係の説明図である。
【図４】この発明の表示部に表示される表示アイコンの状態の一実施例の説明図である。
【図５】この発明の表示部の表示アイコンにＩＣカードを接近させた場合の説明図である。
【図６】この発明の表示部に表示されるファイルの内容の一実施例の説明図である。
【図７】この発明の実施例１の検索表示処理のフローチャートである。
【図８】この発明の実施例２の検索表示処理のフローチャートである。
【図９】この発明の実施例４で利用する表示情報等の一実施例の説明図である。
【図１０】この発明の実施例５における表示部の表示内容の具体例の説明図である。
【図１１】この発明の実施例５で利用する表示情報等の一実施例の説明図である。
【符号の説明】
【００８２】
１  表示部
２  表示制御部
３  記憶部
４  通信部
５  制御部
１０  情報検索表示装置
３１  ファイル情報
３２  表示情報
３３  アンテナ情報
３４  利用者情報
３５  アプリケーションソフト
４１  アンテナ部
４２  通信制御部
５１  ファイル検索部
５２  認証部
５３  処理実行部
９０  無線通信
１００  ＩＣカード
１０１  通信部
１０２  メモリ部
【図１】
0004977542.tif 000002
【図２】
0004977542.tif 000003
【図３】
0004977542.tif 000004
【図４】
0004977542.tif 000005
【図５】
0004977542.tif 000006
【図６】
0004977542.tif 000007
【図７】
0004977542.tif 000008
【図８】
0004977542.tif 000009
【図９】
0004977542.tif 000010
【図１０】
0004977542.tif 000011
【図１１】
0004977542.tif 000012